(57)【要約】      （修正有）【課題】組み立てが簡単で、時間と手間を省くことができると同時に、コストを削減し、安定性が高い、ブランコブラケットを提供する。【解決手段】バックプレート１とＶ字型の上部支柱２を含め、そのバックプレート１の底部に四つのねじ穴が対称的に設けてあり、そのねじ穴の中にステッピング３を入れてあり、そのバックプレート１のトップ部に挿入板４を設置してあり、その上部支柱２の下に下部支柱５が二つ設けてあり、その上部支柱２の底部に第一差込口を設置してあり、その下部支柱５のトップ部に第二差込口を設置してあり、その第一差込口と第二差込口の間に安全バー６が配置され、その安全バー６がその上部支柱２と下部支柱５の間に別々にボルト６０１を設置してあり、その下部支柱５の底部にストッパープレート５１１を設置してあり、そのストッパープレート５１１の底部に挿入レバー５１２を設置してある。【選択図】図１
0003206184.tif 000002
【実用新案登録請求の範囲】
【請求項１】
ブランコブラケットにおいて、
バックプレートとV字型の上部支柱を含み、そのバックプレートの底部に四つのねじ穴が対称的に設けてあり、そのねじ穴の中にステッピングを入れてあり、そのバックプレートのトップ部に挿入板を設置してあり、その上部支柱の下に下部支柱が二つ設けてあり、その上部支柱の底部に第一差込口を設置してあり、その下部支柱のトップ部に第二差込口を設置してあり、その第一差込口と第二差込口の間に安全バーが配置され、その安全バーがその上部支柱と下部支柱の間に別々にボルトを設置してあり、その下部支柱の底部にストッパープレートを設置してあり、そのストッパープレートの底部に挿入レバーを設置してあり、その挿入板のトップにはその挿入レバーとセットしている差込口があり、その上部支柱のトップに近い位置に軸穴を設けてあり、その二つの下部支柱の間に構造補強バーを設置してあり、その構造補強バーは二つ配置され、その一つの構造補強バーはその二つの下部支柱のトップ部近い位置に設置してあり、もう一つの構造補強バーはその二つの下部支柱の底部に近い位置に設置してある
ことを特徴とするブランコブラケット。
【考案の詳細な説明】
【技術分野】
【０００１】
本実用新規は種のブランコブラケットに関連する。
【背景技術】
【０００２】
公園でブランコを掛け、ブランコを通して子供を喜ばせる。ブランコブラケットはブランコを掛けることに不可欠な部品で、既存の技術ではブランコは一体式で、掛けることとばらすことは面倒くさい、持ち運ぶことも困難で、使用にはやや不便であり、それにブランコブラケットの製造コストが高い、一旦壊されたら、ブランコブラケット全体を交換する必要になる。
【考案の概要】
【考案が解決しようとする課題】
【０００３】
本実用新型は解決する必要な技術問題は一種のブランコブラケットを提供すること、本特許申請は組み立てが簡単で、時間と手間を省くことができると同時に、本申請は安全バーがあり、上部支柱には過負荷が発生する場合、安全バーは変形になり、後期は安全バーだけを交換すればいい、ブラケット全体を捨てる必要ない、コストを削減し、安定性が強い。本申請の構造は簡単で、コストが低い、普及することに相応しい。
【課題を解決するための手段】
【０００４】
以上の技術問題を解決するために、本実用新型は以下の技術案を採用する：
【０００５】
一種のブランコブラケット、バックプレートとV字型の上部支柱を含め、そのバックプレートの底部に四つのねじ穴が対称的に設けてあり、そのねじ穴の中にステッピングを入れてあり、そのバックプレートのトップ部に挿入板を設置してあり、その上部支柱の下に下部支柱が二つ設けてあり、その上部支柱の底部に第一差込口を設置してあり、その下部支柱のトップ部に第二差込口を設置してあり、その第一差込口と第二差込口の間に安全バーが配置され、その安全バーがその上部支柱と下部支柱の間に別々にボルトを設置してあり、その下部支柱の底部にストッパープレートを設置してあり、そのストッパープレートの底部に挿入レバーを設置してあり、その挿入板のトップにはその挿入レバーとセットしている差込口があり、その上部支柱がトップに近い位置に軸穴を設けてあり、その二つの下部支柱の間に構造補強バーを設置してあり、その構造補強バーは二つ配置され、その一つの構造補強バーはその二つの下部支柱の間にトップ部近い位置に設置してあり、もう一つの構造補強バーはその二つの下部支柱の底部に近い間に設置してある。
【０００６】
優秀な技術案として、その安全バーの構造強度はその上部支柱とその下部支柱の構造強度より弱い。
【０００７】
優秀な技術案として、二つのその構造補強バーとその二つの下部支柱が溶接で固定される。
【考案の効果】
【０００８】
本実用新型の有益な効果は：本特許申請は組み立てが簡単で、時間と手間を省くことができると同時に、本申請は安全バーがあり、上部支柱には過負荷が発生する場合、安全バーは変形になり、後期は安全バーだけを交換すればいい、ブラケット全体を捨てる必要ない、コストを削減し、安定性が強い。本申請の構造は簡単で、コストが低い、普及することに相応しい。
【図面の簡単な説明】
【０００９】
【図１】本実用新型の構造見取り図。
【考案を実施するための形態】
【００１０】
本実用新型のメリットと特徴を技術分野の技術者に簡単に理解され、さらに本実用新型の保護範囲にもっと明確に決めるために、これから付図とあわせて本実用新型の優秀な実施例を詳しく説明する。
【００１１】
図面1に示された一種のブランコブラケットを参考してください、バックプレート１とV字型の上部支柱２を含め、そのバックプレート１の底部に四つのねじ穴（図面なし）が対称的に設けてあり、そのねじ穴の中にステッピング３を入れてあり、そのバックプレート１のトップ部に挿入板４を設置してあり、その上部支柱２の下に下部支柱５が二つ設けてあり、その上部支柱２の底部に第一差込口（図面なし）を設置してあり、その下部支柱５のトップ部に第二差込口（図面なし）を設置してあり、その第一差込口と第二差込口の間に安全バー６が配置され、その安全バー６がその上部支柱２と下部支柱５の間に別々にボルト601を設置してあり、その下部支柱５の底部にストッパープレート511を設置してあり、そのストッパープレート511の底部に挿入レバー512を設置してあり、その挿入板４のトップにはその挿入レバー512とセットしている差込口（図面なし）があり、その上部支柱２がトップに近い位置に軸穴212を設けてあり、その二つの下部支柱５の間に構造補強バー555を設置してあり、その構造補強バー555は二つ配置され、その一つの構造補強バー555はその二つの下部支柱５の間にトップ部近い位置に設置してあり、もう一つの構造補強バー555はその二つの下部支柱５の底部に近い間に設置してある。
【００１２】
本実用新型の一つの好ましい実施例として、その安全バー６の構造強度はその上部支柱２とその下部支柱５の構造強度より弱い。
【００１３】
本実用新型の一つの好ましい実施例として、二つのその構造補強バー555とその二つの下部支柱５が溶接で固定される。
【００１４】
本実用新型の有益な効果は：本特許申請は組み立てが簡単で、時間と手間を省くことができると同時に、本申請は安全バーがあり、上部支柱には過負荷が発生する場合、安全バーは変形になり、後期は安全バーだけを交換すればいい、ブラケット全体を捨てる必要ない、コストを削減し、安定性が強い。本申請の構造は簡単で、コストが低い、普及することに相応しい。
【００１５】
以上、本実用新型の基本原理、主な特徴とメリットを示し説明した。この業界の技術者は理解するべきことは，本実用新型は上記の実例に制限されない、上記の例と説明書では、ただ本実用新型の原理を説明すだけで、本実用新型の精髄と範囲を脱離しない限り、これからいろいろ変化と改善を進める。この変化と改善は本実用新型の保護要求に合う。本実用新型が要求する保護範囲は添付の権利要求所及び均等物のもので定義するとする。
【図１】
0003206184.tif 000003